(57)【要約】【課題】  容器に装着された包材を、任意の時点で容器の外周面上にて摺動可能とすることのできる包材装着容器を提供する。【解決手段】  熱収縮性フィルム１により、缶容器３の胴部３１の外周面の全面を被覆するとともに、蓋部３３の外周部および脚部３５の上部を被覆する。熱収縮性フィルム１は、缶容器３の胴部３１の外周面の上部以外の部分および脚部３５の上部を被覆する主部１１と、缶容器３の胴部３１の外周面の上部および蓋部３３を被覆する副部１２とからなり、その境界にはミシン目１３ａが形成されている。そして、缶容器３の胴部３１には、図柄部４が設けられており、熱収縮性フィルム１の主部１１には、スクリーン部２が設けられている。【選択図】  図１
2006151480.tif 000002
【特許請求の範囲】
【請求項１】
容器に、その一部または全部の表面を覆う包材が装着されてなる包材装着容器であって、
前記包材は、前記容器の外周面上にて少なくとも周方向に摺動することで所定の目的を達成しうる主部と、前記主部以外の残部となる副部とからなり、前記主部と前記副部とが一体となっているときには前記容器の外周面上にて少なくとも周方向に摺動することができないように構成されており、前記主部と前記副部とを分離することができる分離手段を備えている
ことを特徴とする包材装着容器。
【請求項２】
前記包材がシート状のものであることを特徴とする請求項１に記載の包材装着容器。
【請求項３】
前記包材は、ユーザが前記容器の外周面を直接把持できない程度まで前記容器の外周面を被覆し、前記副部を除去した後はユーザが前記容器の外周面を直接把持できるような構成になっていることを特徴とする請求項１または２に記載の包材装着容器。
【請求項４】
前記容器は、略円筒状の胴部と、前記胴部の上下のいずれか一端側にて縮径している縮径部を備え、
前記シート状の包材は、前記容器の胴部および縮径部を被覆するように前記容器に装着されており、
前記シート状の包材の主部は、前記容器の胴部上に位置している
ことを特徴とする請求項２または３に記載の包材装着容器。
【請求項５】
前記容器は、略円筒状の胴部と、前記胴部の上下に配された蓋部および底部とを備えた容器であり、
前記シート状の包材は、前記容器の蓋部および底部の少なくとも一方と、前記胴部とにおいて前記容器に装着されており、
前記シート状の包材の主部は、前記容器の胴部上に位置している
ことを特徴とする請求項２〜４のいずれか１項に記載の包材装着容器。
【請求項６】
前記容器に装着された前記シート状の包材は、熱収縮性フィルムからなり、筒状に形成され、上端が前記容器の胴部の上端を越えるようにして前記容器の胴部に被せられた後、熱収縮されたものであることを特徴とする請求項２〜５のいずれか１項に記載の包材装着容器。
【請求項７】
前記分離手段は、前記包材の主部と副部との境界に形成されたミシン目であることを特徴とする請求項１〜６のいずれか１項に記載の包材装着容器。
【請求項８】
前記容器の外周面には、所定の幅を有する描画線が所定の間隔をもって複数平行に形成されてなる図柄が、前記描画線の幅に対応する間隔で相互にずらして複数設けられており、
前記包材の主部には、所定の幅を有する線上の不透明部と所定の幅を有する透明部とが交互に平行にそれぞれ複数設けられてなるスクリーン部が形成されている
ことを特徴とする請求項１〜７のいずれか１項に記載の包材装着容器。
【請求項９】
前記容器の外周面には、所定の幅を有する描画線が所定の間隔をもって複数平行に、かつ前記容器の軸方向に対して傾斜するように形成されてなる図柄が、前記描画線の幅に対応する間隔で相互に位置をずらして複数設けられており、
前記フィルムの主部には、所定の幅を有する線状の不透明部と所定の幅を有する線状の透明部とが交互に平行に、かつ前記容器における描画線の傾斜に対応して傾斜するようにそれぞれ複数設けられてなるスクリーン部が形成されている
ことを特徴とする請求項１〜７のいずれか１項に記載の包材装着容器。
【発明の詳細な説明】
【技術分野】
【０００１】
本発明は、飲料缶等の容器に包材が装着されてなる包材装着容器に関するものである。
【背景技術】
【０００２】
特許文献１には、上部フィルムを摺動させることにより、上部フィルムの線状透明部から線状パターン図柄を構成する何れかの線状描写部を順次表出させて、容器表面で視認される図柄を変化させることができるようにした包装容器が開示されている。
【０００３】
包装容器の形状の一例として、有底円筒状の容器本体を備えたものが示されており、その場合、線状描写部および上部フィルムは容器本体の外周面に設けられる。そして、上部フィルムは、その両側端（上端および下端）において、容器本体の外周面に設けられたガイド縁によってガイドされる。
【特許文献１】実用新案登録第３０９５２６５号公報
【発明の開示】
【発明が解決しようとする課題】
【０００４】
しかしながら、上記のような包装容器をパッケージングすることなくそのまま販売した場合、需要者は容器本体の外周面にて上部フィルムを摺動させて図柄の変化を見ることができ、購入前に娯楽を享受することができてしまうため、包装容器またはその内容物に対する需要者の購買意欲を低減させる可能性がある。
【０００５】
本発明は、このような実状に鑑みてなされたものであり、容器に装着された包材を、任意の時点で容器の外周面上にて摺動可能とすることのできる包材装着容器を提供することを目的とする。
【課題を解決するための手段】
【０００６】
上記目的を達成するために、本発明は、容器に、その一部または全部の表面を覆う包材が装着されてなる包材装着容器であって、前記包材は、前記容器の外周面上にて少なくとも周方向に摺動することで所定の目的を達成しうる主部と、前記主部以外の残部となる副部とからなり、前記主部と前記副部とが一体となっているときには前記容器の外周面上にて少なくとも周方向に摺動することができないように構成されており、前記主部と前記副部とを分離することができる分離手段を備えていることを特徴とする包材装着容器を提供する（請求項１）。
【０００７】
「主部と副部とが一体となっているときには容器の外周面上にて少なくとも周方向に摺動することができないような構成」としては、例えば、ユーザが容器の外周面を直接把持できない程度まで包材が容器の外周面を被覆する構成や、副部を有することにより包材と容器との間の摺動摩擦抵抗を大きくする構成や、容器の円筒部および縮径部を被覆して容器の軸（回転体としての容器の軸をいう。本明細書にて同じ。）に対する包材の締め付け方向を多方向にする構成等が挙げられる。
【０００８】
上記発明（請求項１）に係る包材装着容器において、包材は、主部と副部とが一体となっているときには容器の外周面上にて少なくとも周方向に摺動することができないが、包材の副部を主部から分離し除去することにより、包材の主部を容器の周方向に摺動させることができるようになり、所定の目的を達成することができる。このように、上記発明（請求項１）によれば、容器に装着された包材を、任意の時点で容器の外周面上にて摺動可能とすることができる。
【０００９】
上記発明（請求項１）においては、前記包材がシート状のものであることが好ましい（請求項２）。かかる発明によれば、簡単な構成で包材を容器に装着することができる。
【００１０】
上記発明（請求項１，２）において、前記包材は、ユーザが前記容器の外周面を直接把持できない程度まで前記容器の外周面を被覆し、前記副部を除去した後はユーザが前記容器の外周面を直接把持できるような構成になっているのが好ましい（請求項３）。
【００１１】
上記発明（請求項３）に係る包材装着容器においては、包材はユーザが容器の外周面を直接把持できない程度まで容器の外周面を被覆しているため、その状態ではユーザは容器の外周面を直接把持して固定することができず、包材を容器の周方向に摺動させることができない。しかし、包材の副部を主部から分離し除去することにより、ユーザは容器の外周面を直接把持して固定することができ、包材の主部を容器の周方向に摺動させることができるようになり、所定の目的を達成することができる。
【００１２】
上記発明（請求項２，３）において、前記容器は、略円筒状の胴部と、前記胴部の上下のいずれか一端側にて縮径している縮径部を備え、前記シート状の包材は、前記容器の胴部および縮径部を被覆するように前記容器に装着されており、前記シート状の包材の主部は、前記容器の胴部上に位置していてもよい（請求項４）。
【００１３】
上記発明（請求項４）において、包材は容器の略円筒状の胴部および縮径部を被覆しているため、容器の軸に対する包材の締め付け方向は多方向（垂直方向以外の方向を含む）となり、したがって、主部と副部とが一体となっている包材が容器の外周面上にて周方向に摺動することを防止することができる。一方、副部を分離除去した包材の主部は、容器の軸に対する包材の締め付け方向が一方向（垂直方向）となり、容器の胴部外周面上にて周方向に摺動することが可能となる。
【００１４】
上記発明（請求項２〜４）において、前記容器は、略円筒状の胴部と、前記胴部の上下に配された蓋部および底部とを備えた容器であり、前記シート状の包材は、前記容器の蓋部および底部の少なくとも一方と、前記胴部とにおいて前記容器に装着されており、前記シート状の包材の主部は、前記容器の胴部上に位置していてもよい（請求項５）。
【００１５】
上記発明（請求項５）において、包材が容器の略円筒状の胴部と蓋部または底部とを被覆している場合には、容器の軸に対する包材の締め付け方向は多方向（垂直方向以外の方向を含む）となり、したがって、主部と副部とが一体となっている包材が容器の外周面上にて周方向に摺動することを防止することができる。一方、副部を分離除去した包材の主部は、容器の軸に対する包材の締め付け方向が一方向（垂直方向）となり、容器の胴部外周面上にて周方向に摺動することが可能となる。
【００１６】
また、包材が容器の略円筒状の胴部、蓋部および底部を被覆している場合には、ユーザは容器の外周面を直接把持して固定することができず、包材を容器の周方向に摺動させることができない。さらに、包材の主部が容器の外周面上にて軸方向に摺動することでも所定の目的を達成し得る場合には、容器の蓋部および底部に装着された包材の上端部および下端部がストッパになり、ユーザは包材を軸方向に摺動させることができない。しかし、包材の副部を主部から分離し除去することにより、包材の少なくとも一方のストッパがなくなり、ユーザは包材を容器の軸方向に摺動させることができるようになり、所定の目的を達成することができる。
【００１７】
上記発明（請求項２〜５）において、前記容器に装着された前記シート状の包材は、熱収縮性フィルムからなり、筒状に形成され、上端が前記容器の胴部の上端を越えるようにして前記容器の胴部に被せられた後、熱収縮されたものであることが好ましい（請求項６）。かかる発明によれば、フィルムを上記構成になるように容器に容易に装着することができる。
【００１８】
上記発明（請求項１〜６）において、前記分離手段は、前記包材の主部と副部との境界に形成されたミシン目であることが好ましい（請求項７）。ミシン目は、極めて簡単にかつ低コストで包材に形成することができるため、本発明における分離手段として好ましいが、本発明はこれに限定されることなく、例えば、開封テープ等であってもよい。
【００１９】
上記発明（請求項１〜７）において、前記容器の外周面には、所定の幅を有する描画線が所定の間隔をもって複数平行に形成されてなる図柄が、前記描画線の幅に対応する間隔で相互にずらして複数設けられており、前記包材の主部には、所定の幅を有する線上の不透明部と所定の幅を有する透明部とが交互に平行にそれぞれ複数設けられてなるスクリーン部が形成されていてもよい（請求項８）。
【００２０】
上記発明（請求項８）によれば、フィルムの主部を容器の外周面で移動させると、フィルムのスクリーン部の透明部から複数の図柄が順次表示される。このような包材装着容器は、容器自体に付加価値を与え、需要者の容器内容物に対する購買意欲を向上させることができる。
【００２１】
上記発明（請求項１〜７）において、前記容器の外周面には、所定の幅を有する描画線が所定の間隔をもって複数平行に、かつ前記容器の軸方向に対して傾斜するように形成されてなる図柄が、前記描画線の幅に対応する間隔で相互に位置をずらして複数設けられており、前記フィルムの主部には、所定の幅を有する線状の不透明部と所定の幅を有する線状の透明部とが交互に平行に、かつ前記容器における描画線の傾斜に対応して傾斜するようにそれぞれ複数設けられてなるスクリーン部が形成されていてもよい（請求項９）。
【００２２】
上記発明（請求項９）によれば、フィルムの主部を容器の外周面において周方向および軸方向のいずれに移動させても、フィルムのスクリーン部の透明部から複数の図柄が順次表示される。このような包材装着容器は、上記発明（請求項８）に係る包材装着容器と比して、容器自体により高い付加価値を与え、需要者の容器内容物に対する購買意欲をさらに向上させることができる。
【発明の効果】
【００２３】
本発明の包材装着容器によれば、容器に装着された包材を、任意の時点で容器の外周面上にて摺動可能とすることができる。したがって、購入前における包材主部の目的達成による包材装着容器またはその内容物に対する需要者の購買意欲の低減を防止することができる。
【発明を実施するための最良の形態】
【００２４】
以下、本発明の実施形態について説明する。
図１は、本発明の一実施形態に係る包材装着容器の斜視図であり、図２は、同実施形態に係る包材装着容器において熱収縮性フィルムの副部を除去した状態を示す側面図であり、図３は、同実施形態における熱収縮性フィルムの主部の展開図であり、図４は、同実施形態における缶容器の外周面に設けられた図柄部を示す図であり、図５（ａ）〜（ｅ）は、同実施形態の包材装着容器における図柄の変遷を示す図である。
【００２５】
図１に示すように、本実施形態に係る包材装着容器Ｃは、飲料用の缶容器３と、缶容器３に装着された熱収縮性フィルム１とから構成される。缶容器３は、略円筒状の胴部３１と、胴部３１の上端部に巻き締められ、飲み口３３１が設けられた蓋部３３と、胴部３１の下端に連続し、下方に向かって漸次縮径している脚部３５とを備えており、胴部３１の外周面には、後述する図柄部４が設けられている。
【００２６】
熱収縮性フィルム１は、缶容器３の胴部３１、蓋部３３および脚部３５において缶容器３に装着されており、缶容器３の胴部３１の外周面の全面を被覆するとともに、蓋部３３の外周部および脚部３５の上部を被覆している。
【００２７】
熱収縮性フィルム１の上端部（缶容器３の蓋部３３の中心側に位置する端部）の位置は、特に限定されるものではないが、缶容器３の飲み口３３１の保護の観点からは、缶容器３の蓋部３３の中心に近い方が好ましい。また、熱収縮性フィルム１の下端部は、缶容器３の脚部３５に位置しているのが好ましいが、缶容器３の底部または缶容器３の胴部３１の下部に位置していてもよい。
【００２８】
この熱収縮性フィルム１は、缶容器３の胴部３１の外周面の上部以外の部分および脚部３５の上部を被覆する主部１１と、缶容器３の胴部３１の外周面の上部および蓋部３３を被覆する副部１２（主部１１以外の残部）とからなり、主部１１には、後述するスクリーン部２が設けられている。
【００２９】
熱収縮性フィルム１において、主部１１と副部１２との境界にはミシン目１３ａが形成されている。また、副部１２には、副部１２の上端部から主部１１との境界まで縦方向に延在する２本のミシン目１３ｂが形成されており、その２本のミシン目１３ｂに挟まれた部分は開封部１２１となっている。開封部１２１の幅は、指の幅程度となっている。
【００３０】
缶容器３の胴部３１における熱収縮性フィルム１の主部１１と副部１２との境界の位置は、副部１２を除去したときに露出する缶容器３の胴部３１の外周面をユーザが直接把持できるような位置であれば特に限定されるものではない。
【００３１】
熱収縮性フィルム１を上記構成のように缶容器３に装着するには、熱収縮性フィルム１を筒状に形成するとともに、所定の高さを有するように形成した後、缶容器３の図柄部４と熱収縮性フィルム１のスクリーン部２との位置合わせをしつつ、熱収縮性フィルム１の上端および下端が缶容器３の胴部３１の上端および下端を越えるようにして熱収縮性フィルム１を缶容器３の胴部３１に被せ、スチームトンネルや熱風トンネル等の加熱エリアで加熱することにより、熱収縮性フィルム１を熱収縮させればよい。
【００３２】
熱収縮性フィルム１の材料としては、上記のように缶容器３に装着することができ、後述するスクリーン部２の機能を発揮することができるものであれば特に限定されず、例えば、ニ軸延伸ポリスチレン（ＯＰＳ）フィルム等のポリスチレン系樹脂を使用したフィルム、ポリエチレンテレフタレート（ＰＥＴ）フィルム等のポリエステル系樹脂を使用したフィルムなどを使用することができる。
【００３３】
なお、本実施形態では、包材として熱収縮性フィルムを使用したが、本発明はこれに限定されるものではなく、非熱収縮性のフィルムを使用してもよいし、紙、金属シート、あるいはそれらを組み合わせた材料を使用してもよい。
【００３４】
ここで、熱収縮性フィルム１の主部１１のスクリーン部２には、図３に示すように、幅Ｗ１の線状の不透明部２１と幅Ｗ２の線状の透明部２２とが交互に平行に、かつ筒状の熱収縮性フィルム１の軸方向（＝缶容器３の軸方向）に対して傾斜するようにそれぞれ複数設けられている。このようなスクリーン部２は、透明な熱収縮性フィルム１に対して不透明部２１を印刷することによって設けることができる。
【００３５】
一方、缶容器３の胴部３１の外周面における熱収縮性フィルム１のスクリーン部２に対応する位置には、図４に示すように、図柄部４が形成されている。図柄部４は、複数（本実施形態では５つ）の図柄４０ａ〜４０ｅを備えており、各図柄４０ａ〜４０ｅは、幅Ｗ４のスペース４２を介して複数平行に、かつ缶容器３の軸方向に対して傾斜するように配された幅Ｗ３の描画線４１ａ〜４１ｅから構成されている。そして、図柄４０ａと図柄４０ｂ、図柄４０ｂと図柄４０ｃ、図柄４０ｃと図柄４０ｄ、図柄４０ｄと図柄４０ｅとは、それぞれ幅Ｗ３の描画線４１ａ〜４１ｅに対応する間隔で相互に位置をずらして設けられている。
【００３６】
スクリーン部２の不透明部２１の幅Ｗ１と、図柄部４のスペース４２の幅Ｗ４とは、実質的に同一であるのが好ましく、スクリーン部２の透明部２２の幅Ｗ２は、図柄部４の描画線４１ａ〜４１ｅの幅Ｗ３と同一かそれよりわずかに小さいのが好ましく、また、スクリーン部２の不透明部２１の幅Ｗ１および図柄部４のスペース４２の幅Ｗ４は、図柄部４の描画線４１ａ〜４１ｅの幅Ｗ３と、図柄の数から１を引いた値（本実施形態では５−１＝４）とを掛け合わせた値であることが好ましい。
【００３７】
図柄部４の描画線４１ａ〜４１ｅの幅Ｗ３は、具体的には、０．１〜１．０ｍｍであることが好ましく、特に０．３〜０．７ｍｍであることが好ましい。図柄部４の描画線４１ａ〜４１ｅの幅Ｗ３がこの範囲にあることにより、各図柄４０ａ〜４０ｅを明確に、しかも躍動感をもって表示することができる。
【００３８】
さらに、スクリーン部２における不透明部２１および透明部２２の傾斜角度（缶容器３の軸に対する角度。以下同じ。）と、図柄部４における描画線４１ａ〜４１ｅの傾斜角度とは実質的に同一であり、その傾斜角度の大きさは、１０〜８０°であることが好ましく、特に２０〜７０°であることが好ましい。
【００３９】
スクリーン部２および図柄部４が上記のような構成を有することにより、スクリーン部２の透明部２２は、図柄部４のいずれか一つの図柄４０ａ〜４０ｅの描画線４１ａ〜４１ｅを表示し、スクリーン部２の不透明部２１は、図柄部４の残りの４つの図柄４０ａ〜４０ｅの描画線４１ａ〜４１ｅを隠すことができる。そして、熱収縮性フィルム１の主部１１を図柄部４の描画線４１ａ〜４１ｅの幅Ｗ３に対応する間隔で缶容器３の周方向に摺動させると、スクリーン部２の透明部２２から、図柄部４の複数の図柄４０ａ〜４０ｅが順次表出する。同様に、熱収縮性フィルム１の主部１１を図柄部４の描画線４１ａ〜４１ｅの幅Ｗ３に対応する間隔で缶容器３の軸方向に摺動させると、スクリーン部２の透明部２２から、図柄部４の複数の図柄４０ａ〜４０ｅが順次表出する。
【００４０】
具体的には、缶容器３に対して熱収縮性フィルム１の主部１１を図柄部４の描画線４１ａ〜４１ｅの幅Ｗ３に対応する間隔で缶容器３の周方向、時計回りに摺動させると、または、缶容器３に対して熱収縮性フィルム１の主部１１を図柄部４の描画線４１ａ〜４１ｅの幅Ｗ３に対応する間隔で缶容器３の軸方向、下から上に摺動させると、図５（ａ）〜（ｅ）に示すように、スクリーン部２の透明部２２から５つの図柄４０ａ〜４０ｅが順次表出し、それによってバッターがスウィングする様子が動的に表される。
【００４１】
上記のような娯楽性を有する包材装着容器Ｃは、需要者の内容物（本実施形態では飲料）に対する購買意欲を向上させることができる。ただし、包材装着容器Ｃにおいて、熱収縮性フィルム１は、缶容器３の胴部３１の外周面の全面を被覆しているため、ユーザが缶容器３に対して熱収縮性フィルム１を周方向に摺動させようとしても、ユーザは缶容器３を直接把持して固定することができないため、熱収縮性フィルム１を周方向に摺動させることができない。
【００４２】
また、熱収縮性フィルム１の上端部および下端部は、缶容器３の蓋部３３および脚部３５において縮径しているため、ユーザが缶容器３に対して熱収縮性フィルム１を軸方向に摺動させようとしても、熱収縮性フィルム１の上端部および下端部がストッパになり、熱収縮性フィルム１を軸方向に摺動させることができない。
【００４３】
したがって、包材装着容器Ｃをパッケージングすることなくそのまま販売した場合であっても、需要者は缶容器３上で熱収縮性フィルム１を摺動させてスクリーン部２からの図柄４０ａ〜４０ｅの変化を見ることができないため、購入前に娯楽を享受することによる包材装着容器Ｃまたはその内容物に対する需要者の購買意欲の低減を防止することができる。
【００４４】
包材装着容器Ｃを購入したユーザは、熱収縮性フィルム１の副部１２における２本のミシン目１３ｂに沿って開封部１２１を除去した後、主部１１と副部１２との境界に形成されているミシン目１３ａに沿って副部１２の残部を除去し、図２に示すように、缶容器３の胴部３１の外周面上部を露出させる。ユーザは、この缶容器３の胴部３１の外周面上部を直接把持することにより、缶容器３の胴部３１に対して熱収縮性フィルム１の主部１１を周方向に摺動させることが可能となり、また、熱収縮性フィルム１の上端部のストッパがなくなることにより、熱収縮性フィルム１の主部１１を軸方向に摺動させることも可能となり、前述した熱収縮性フィルム１のスクリーン部２からの図柄４０ａ〜４０ｅの変化を見ることができるようになる。
【００４５】
なお、本実施形態に係る包材装着容器Ｃでは、熱収縮性フィルム１は、缶容器３の胴部３１から、飲み口３３１が設けられた蓋部３３にかけて缶容器３に装着されており、飲み口３３１の近傍が熱収縮性フィルム１によって保護されている。したがって、本実施形態に係る包材装着容器Ｃは、飲み口３３１の近傍が汚染されることが防止されており、安全性・衛生の面から好ましいものとなっている。
【００４６】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００４７】
例えば、上記熱収縮性フィルム１において、スクリーン部２の下側には周方向に沿ってミシン目が形成され、そのミシン目の下側は第２の副部となっていてもよい。
【００４８】
また、上記図柄部４の描画線４１ａ〜４１ｅならびにスクリーン部２の不透明部２１および透明部２２は、缶容器３の軸方向と平行に形成されてもよい。
【００４９】
さらに、上記包材装着容器Ｃにおいては、図柄部４およびスクリーン部２の替わりに、例えば、熱収縮性フィルム１の主部１１を摺動させることにより、クイズの答えやくじの結果が表示されるもの、あるいは漫画のコマが順次表示されるもの等が設けられてもよい。
【００５０】
さらに、缶容器３の替わりに、円筒状の部分を有する瓶容器やＰＥＴボトル等が適用されてもよい。
【００５１】
さらに、スクリーン部２に表わされる図柄は、熱収縮性フィルム１の摺動により、形状が変化するものに限定されることなく、色のみ、または形状および色が変化するものであってもよい。その場合、各図柄４０ａ〜４０ｅの色が異なることにより、表れる色が変化してもよいし、図柄部４の色とスクリーン部２の有色透明な透明部２２とが合わさることにより、表れる色が変化してもよい。
【産業上の利用可能性】
【００５２】
本発明は、装着した包材を容器の外周面上で摺動させることにより娯楽性を発揮する容器に有用である。
【図面の簡単な説明】
【００５３】
【図１】本発明の一実施形態に係る包材装着容器の斜視図である。
【図２】同実施形態に係る包材装着容器において熱収縮性フィルムの副部を除去した状態を示す側面図である。
【図３】同実施形態における熱収縮性フィルムの主部の展開図である。
【図４】同実施形態における缶容器の外周面に設けられた図柄部を示す図である。
【図５】同実施形態の包材装着容器における図柄の変遷を示す図である。
【符号の説明】
【００５４】
１…熱収縮性フィルム（包材）
１１…主部
１２…副部
１３ａ，１３ｂ…ミシン目
２…スクリーン部
２１…不透明部
２２…透明部
３…缶容器（容器）
３１…胴部
３３…蓋部
３５…脚部
４…図柄部
４０ａ，４０ｂ，４０ｃ，４０ｄ，４０ｅ…図柄
４１ａ，４１ｂ，４１ｃ，４１ｄ，４１ｅ…描画線
４２…スペース
【図１】
2006151480.tif 000003
【図２】
2006151480.tif 000004
【図３】
2006151480.tif 000005
【図４】
2006151480.tif 000006
【図５】
2006151480.tif 000007